(57)【要約】【課題】引き抜き耐力が大きく、施工作業性の優れた柱脚金物と柱脚部構造を提供すること。【解決手段】この発明の柱脚金物１は基礎のアンカーボルトが貫通する通孔２３を有する底板２１と、底板２１に垂直に立設する一対の側板２２とからなり、側板間に土台の端部を挿入して土台が取りつけ可能になされ、前記底板２１は、基礎と土台との間に介在され通気路を確保するスペーサーとされ、円筒体３の内周面には底板２１の通孔２６を貫通したアンカーボルトの端部とネジ結合するメネジ部が螺刻され、円筒体の外周面は柱脚部に嵌挿して取りつけ可能にされていることを特徴とする。【選択図】　　　　図１
2004137856.tif 000002
【特許請求の範囲】
【請求項１】
基礎と土台の間にスペーサーを介在させて床下換気を行なう建物の柱脚金物であって、金物本体と円筒体からなり、金物本体は、基礎のアンカーボルトが貫通する通孔を有する底板と、底板に垂直に立設する一対の側板とからなり、側板間に土台の端部を挿入して土台が取りつけ可能になされ、前記底板は、基礎と土台との間に介在され通気路を確保するスペーサーとされ、円筒体の内周面には底板の通孔を貫通したアンカーボルトの端部とネジ結合するメネジ部が螺刻され、円筒体の外周面は柱脚部に嵌挿して取り付け可能にされていることを特徴とする柱脚金物。
【請求項２】
請求項１記載の柱脚金物を用いた柱脚部構造であって、前記底板の通孔を貫通したアンカーボルトが前記円筒体のメネジ部に螺着され、前記メネジ部を有する円筒体が柱脚部に嵌挿され、前記土台が側板間に挿入されて底板の上に取り付けられ、基礎と土台の間に底板を介在させて通気路が確保されていることを特徴とする柱脚部構造。
【発明の詳細な説明】
【０００１】
【発明の属する技術分野】
この発明は柱脚金物及び柱脚部構造に関する。
【０００２】
【従来の技術】
木造軸組み構造では、基礎の上に土台や大引、柱等の各種部材を組上げて躯体を形成し、各種部材の連結は、継手や仕口で行われていた。しかし、継手や仕口を利用するには、作業にかかる負担が大きく、近年では、部材の間に接合金物を介在させることによって仕口の加工を単純化して、加工に要する負担を軽減するようになってきている。
【０００３】
また、最近では、床下換気のため換気口を基礎に形成するのではなく、基礎パッキンやスペーサーを、基礎と土台との間に間欠配置して、床下換気のための通気路を形成することが行われており、この柱脚構造でも柱を建てるに当たり、接合金物を利用して工期短縮等の利点があることが示されている。（特許文献１参照）
【０００４】
【特許文献１】
特開２００１−１５９１９１号公報
【０００５】
【発明が解決しようとする課題】
しかしこのような構造では接合金物は基礎に強固に固定するために、基礎に埋め込んだり、複数のアンカーボルトが必要で、施工には多くの作業を必要とする。
この発明はこのような従来の欠点を解消し、引き抜き耐力が大きく、施工作業性の優れた柱脚金物と、柱脚部構造を提供することを目的としてなされたものである。
【０００６】
【課題を解決するための手段】
このような課題を達成するため、請求項１記載の発明の建物の柱脚金物は、基礎と土台の間にスペーサーを介在させて床下換気を行なう建物の柱脚金物であって、金物本体と円筒体からなり、金物本体は、基礎のアンカーボルトが貫通する通孔を有する底板と、底板に垂直に立設する一対の側板とからなり、側板間に土台の端部を挿入して土台が取りつけ可能になされ、前記底板は、基礎と土台との間に介在され通気路を確保するスペーサーとされ、円筒体の内周面には底板の通孔を貫通したアンカーボルトの端部とネジ結合するメネジ部が螺刻され、円筒体の外周面は柱脚部に嵌挿して取りつけ可能にされていることを特徴とする。
【０００７】
請求項２記載の発明の建物の柱脚部構造は、請求項１記載の柱脚金物を用いた柱脚部構造であって、前記底板の通孔を貫通したアンカーボルトが前記円筒体のメネジ部に螺着され、前記メネジ部を有する円筒体が柱脚部に嵌挿され、前記土台が側板間に挿入されて底板の上に取り付けられ、基礎と土台の間に底板を介在させて通気路が確保されていることを特徴とする。
【０００８】
（作用）
この発明の建物の柱脚金物は、基礎と土台の間にスペーサーを介在させて床下換気を行なう建物の柱脚金物であって、金物本体と円筒体からなり、金物本体は、基礎のアンカーボルトが貫通する通孔を有する底板と、円筒体の内周面には底板の通孔を貫通したアンカーボルトの端部とネジ結合するメネジ部が螺刻され、円筒体の外周面は柱脚部に嵌挿して取りつけ可能にされている柱脚金物なので基礎のアンカーボルトから、柱まで直線状に結合することができ特に引き抜き耐力に優れた構造を与える。また底板と底板に垂直に立設する一対の側板とからなり、側板間に土台の端部を挿入して土台が取りつけ可能になされており、前記底板は、基礎と土台との間に介在され通気路を確保するスペーサーとされているので、通気路を確保する施工も容易になる。
【０００９】
請求項１記載の柱脚金物と、これを用いた請求項２記載の建物の柱脚部構造によると、底板の通孔を貫通したアンカーボルトが前記円筒体のメネジ部に螺着され、前記メネジ部を有する円筒体が柱脚部に嵌挿されているので、円筒体と柱脚部をピン結合等すれば、引き抜き耐力にすぐれた構造となる。また基礎と土台の間に底板を介在させているので、通気路が確実に確保され、床下換気ができる。
【００１０】
【発明の実施の形態】
次に、この発明の実施の形態を図面を参照しながら説明する。
【００１１】
図１（イ）はこの発明の一実施の形態に係る建物の柱脚金物を示す斜視図であり、（ロ）は（イ）の金物本体のＡ−Ａ線における断面図、（ハ）は円筒体の断面図である。図２（イ）は柱脚部の縦断面図、（ロ）は（イ）のＢ−Ｂ線における横断面図である。図３は土台を示す斜視図である。図４は基礎を示す斜視図である。図５は柱脚部構造を示す断面図であり、図６は図５のＣ−Ｃ断面図である。
【００１２】
まず、図１〜図６を参照して、柱脚金物から説明する。
図１において、１は柱脚金物、２は金物本体、２１は底板、２２は側板、２３は通孔、２４はピン孔である。３は円筒体、３１はメネジ部、３２、３３はピン孔である。柱脚金物１は金物本体２と円筒体３からなる。金物本体２は、基礎７のアンカーボルト８が貫通する通孔２３を有する底板２１と、底板２１の両側に垂直に立設する一対の側板２２、２２とからなる。側板２２間には、土台９の端部９１を挿入して土台９が取りつけ可能になされている。前記底板２１は、基礎７と土台９との間に介在され通気路Ｔ（図５参照）を確保するスペーサーとされる。円筒体３の内周面には底板２１の通孔２３を貫通したアンカーボルト８の端部とネジ結合するメネジ部３１が螺刻され、円筒体３の外周面は柱脚部６に嵌挿して取りつけ可能にされている。
【００１３】
図２においては、柱脚部６には、円筒体３を嵌挿するため加工された孔部６１と、ピン孔６２、６３が形成されている。
図３において。土台９には、先端部の幅寸法Ｗを小さくした挿入部９１が形成され、この挿入部にはピン孔９２が形成されている。
【００１４】
上記柱脚金物１を用いた柱脚部構造を図５，図６を参照して説明する。
図５において、基礎７は、コンクリート製の布基礎で、アンカーボルト８が引き抜き抵抗を上げるため、アンカーボルト８の一方の先端がＵ字状に曲げられ（不図示）、基礎７の中に埋め込まれ、他端が前記基礎上面に垂直に立ち上げられている。
【００１５】
基礎７のアンカーボルト８を底板２１の通孔２３に挿入して、金物本体２が基礎７の上に設置される。、側板２２，２２間に、両側から土台９の端部９１を挿入して土台９，９が取りつけられる。そして側板２２のピン孔２４から土台９の端部９１側面に設けられたピン孔９２を貫通するピン４で結合される。前記底板２１は、基礎７と土台９との間に介在され、通気路Ｔを確保するスペーサーとされる。円筒体３は、底板２１の通孔２３を貫通したアンカーボルト８の端部とネジ結合され、底板２１の上に立設される。
【００１６】
柱脚部６を円筒体３の外周面にかぶせるようにして円筒体が柱脚部６に嵌挿され、柱脚部６と円筒体３はそれぞれのピン孔６２，６３とピン孔３２、３３にピン５を貫通させて接合される。またさらに金物本体２の中央部では、側板２２と円筒体３と柱脚部６とがのピン４で接合される。
尚、前記各通孔で接合するために使用されたピン４，５は六角ボルトを使用しても良い。
【００１７】
底板２１の厚みは、基礎と土台の間に間歇配置されているスペーサー（不図示）の厚みと同じに設定されており、スペーサーとして使用されるので、土台と基礎の間には換気用隙間Ｔが確保される。
【００１８】
このように柱脚部６は、柱脚金物１を使うと、簡単に組立ができ、作業の容易化、工期の短縮化を実現できる。
【００１９】
【発明の効果】
この発明の請求項１に記載の建物の柱脚金物とこれを用いた請求項２に記載の柱脚構造によると、引き抜き耐力に優れた構造となる。
また、土台と基礎の間に換気用通気路が確保できる。
【００２０】
【図面の簡単な説明】
【図１】（イ）はこの発明の実施の形態に係る建物の柱脚金物を示す斜視図である。
（ロ）は柱脚金物本体の断面図であり、（ハ）は円筒体の断面図である
【図２】（イ）は柱脚部の縦断面図、（ロ）は柱柱脚部の横断面図である。
【図３】土台を示す斜視図である。
【図４】基礎を示す斜視図である
【図５】柱脚部構造を示す断面図である。
【図６】図５のＣ−Ｃ断面図である
【符号の説明】
１　　　　柱脚金物
２　　　　柱脚金物本体
２１　　　底板
２２　　　側板
２３　　　通孔
３　　　　円筒体
６　　　　柱脚部
７　　　　基礎
８　　　　アンカーボルト
９　　　　土台
Ｔ　　　　通気路
【図１】
2004137856.tif 000003
【図２】
2004137856.tif 000004
【図３】
2004137856.tif 000005
【図４】
2004137856.tif 000006
【図５】
2004137856.tif 000007
【図６】
2004137856.tif 000008